(57)【特許請求の範囲】
【請求項１】
ラベルに印刷を行う印刷部と、
前記ラベルが貼付された台紙が巻回されたロールを収容する収容部を有する本体と、
支軸を有し、前記支軸を支点として回転可能に前記本体に支持され、前記収容部を開閉可能な蓋部材と、
前記蓋部材に設けられた第１ローラと、
軸部及び第２ローラを少なくとも備え、前記軸部を支点として揺動可能に前記本体に支持され、前記台紙から前記ラベルを剥離させることが可能な機構であって、前記第１ローラと前記第２ローラとの位置関係がそれぞれ異なる第１状態、第２状態、及び、第３状態の何れかに切り替え可能な剥離機構と、
前記蓋部材に設けられ、前記蓋部材が開放した状態から閉塞した状態に変化することに応じて前記剥離機構を前記第１状態から前記第２状態に切り替えることが可能な部材であって、前記蓋部材が開放した状態で前記剥離機構から離隔し、前記蓋部材が開放した状態から閉塞した状態に変化する閉塞過程で前記剥離機構に接触可能な移動部材と、
前記本体に設けられた部材であって、前記剥離機構が前記第３状態から前記第２状態に切り替わることを規制する規制部材と
を備え、
前記剥離機構は、前記蓋部材が閉塞した状態において移動することで、前記第２状態と前記第３状態とを切り替え可能であり、
前記第２状態における前記第１ローラと前記第２ローラとの間の距離は、前記第１状態における前記第１ローラと前記第２ローラとの間の距離よりも小さく、
前記第３状態における前記第１ローラと前記第２ローラとの間の距離は、前記第２状態における前記第１ローラと前記第２ローラとの間の距離よりも小さいことを特徴とする印刷装置。
【請求項２】
前記剥離機構は、前記第２ローラの回転軸の延びる方向の両側から外側に突出する一対の突出部を有し、
前記規制部材は、前記一対の突出部のそれぞれが係合する部位であって、前記剥離機構が前記第３状態から前記第２状態に切り替わることを、前記一対の突出部の移動を禁止することによって規制する一対の第１係合部を有することを特徴とする請求項１に記載の印刷装置。
【請求項３】
前記規制部材は、前記蓋部材が前記収容部を閉塞した状態で、前記蓋部材の回転を更に規制することを特徴とする請求項１又は２に記載の印刷装置。
【請求項４】
前記蓋部材は、前記第１ローラに対して、前記第１ローラの回転軸の延びる方向の両側に一対の第２係合部を有し、
前記規制部材は、前記一対の第２係合部のそれぞれが係合する部位であって、前記蓋部材が前記収容部を閉塞した状態で前記蓋部材の回転を禁止する一対の第３係合部を有することを特徴とする請求項３に記載の印刷装置。
【請求項５】
前記第１状態は、前記第１ローラと前記第２ローラとが離隔し、且つ、前記閉塞過程で前記剥離機構が前記移動部材に接触可能な状態であり、
前記剥離機構は、前記第１ローラと前記第２ローラとが離隔し、且つ、前記閉塞過程で前記剥離機構が前記移動部材に接触不可能な第４状態に更に切り替え可能であり、
前記剥離機構を前記第４状態に固定する固定部材を更に備えたことを特徴とする請求項１から４の何れかに記載の印刷装置。
【請求項６】
前記剥離機構は、
前記軸部を有する枠部と、
前記枠部に対して移動可能に設けられ、前記第２ローラを支持する部材であって、前記軸部と前記第２ローラとの間の距離を、第１距離と、前記第１距離よりも小さい第２距離とに切り替え可能な支持部と
を備え、
前記軸部と前記第２ローラとの間の距離は、前記第１状態、前記第２状態、及び、前記第３状態の夫々の場合に前記第１距離であり、前記第４状態の場合に前記第２距離であり、
前記剥離機構は、前記軸部を支点として揺動することによって前記第１状態から前記第２状態に切り替わることを特徴とする請求項５に記載の印刷装置。
【請求項７】
ラベルに印刷を行う印刷部と、
前記ラベルが貼付された台紙が巻回されたロールを収容する収容部を有する本体と、
前記本体に回転可能に支持され、前記収容部を開閉可能な蓋部材と、
前記蓋部材に設けられた第１ローラと、
第２ローラを少なくとも備え、前記台紙から前記ラベルを剥離させることが可能な機構であって、前記第１ローラと前記第２ローラとの位置関係がそれぞれ異なる第１状態、第２状態、及び、第３状態の何れかに切り替え可能な剥離機構と、
前記蓋部材に設けられ、前記蓋部材が開放した状態から閉塞した状態に変化することに応じて前記剥離機構を前記第１状態から前記第２状態に切り替えることが可能な部材であって、前記蓋部材が開放した状態で前記剥離機構から離隔し、前記蓋部材が開放した状態から閉塞した状態に変化する閉塞過程で前記剥離機構に接触可能な移動部材と、
前記本体に設けられた部材であって、前記剥離機構が前記第３状態から前記第２状態に切り替わることを規制する規制部材と
を備え、
前記第２状態における前記第１ローラと前記第２ローラとの間の距離は、前記第１状態における前記第１ローラと前記第２ローラとの間の距離よりも小さく、
前記第３状態における前記第１ローラと前記第２ローラとの間の距離は、前記第２状態における前記第１ローラと前記第２ローラとの間の距離よりも小さく、
前記剥離機構は、前記第２ローラの回転軸の延びる方向の両側から外側に突出する一対の突出部を有し、
前記規制部材は、前記一対の突出部のそれぞれが係合する部位であって、前記剥離機構が前記第３状態から前記第２状態に切り替わることを、前記一対の突出部の移動を禁止することによって規制する一対の第１係合部を有することを特徴とする印刷装置。
【請求項８】
ラベルに印刷を行う印刷部と、
前記ラベルが貼付された台紙が巻回されたロールを収容する収容部を有する本体と、
前記本体に回転可能に支持され、前記収容部を開閉可能な蓋部材と、
前記蓋部材に設けられた第１ローラと、
第２ローラを少なくとも備え、前記台紙から前記ラベルを剥離させることが可能な機構であって、前記第１ローラと前記第２ローラとの位置関係がそれぞれ異なる第１状態、第２状態、及び、第３状態の何れかに切り替え可能な剥離機構と、
前記蓋部材に設けられ、前記蓋部材が開放した状態から閉塞した状態に変化することに応じて前記剥離機構を前記第１状態から前記第２状態に切り替えることが可能な部材であって、前記蓋部材が開放した状態で前記剥離機構から離隔し、前記蓋部材が開放した状態から閉塞した状態に変化する閉塞過程で前記剥離機構に接触可能な移動部材と、
前記本体に設けられた部材であって、前記剥離機構が前記第３状態から前記第２状態に切り替わることを規制する規制部材と
を備え、
前記第２状態における前記第１ローラと前記第２ローラとの間の距離は、前記第１状態における前記第１ローラと前記第２ローラとの間の距離よりも小さく、
前記第３状態における前記第１ローラと前記第２ローラとの間の距離は、前記第２状態における前記第１ローラと前記第２ローラとの間の距離よりも小さく、
前記規制部材は、前記蓋部材が前記収容部を閉塞した状態で、前記蓋部材の回転を更に規制することを特徴とする印刷装置。
【請求項９】
ラベルに印刷を行う印刷部と、
前記ラベルが貼付された台紙が巻回されたロールを収容する収容部を有する本体と、
前記本体に回転可能に支持され、前記収容部を開閉可能な蓋部材と、
前記蓋部材に設けられた第１ローラと、
第２ローラを少なくとも備え、前記台紙から前記ラベルを剥離させることが可能な機構であって、前記第１ローラと前記第２ローラとの位置関係がそれぞれ異なる第１状態、第２状態、及び、第３状態の何れかに切り替え可能な剥離機構と、
前記蓋部材に設けられ、前記蓋部材が開放した状態から閉塞した状態に変化することに応じて前記剥離機構を前記第１状態から前記第２状態に切り替えることが可能な部材であって、前記蓋部材が開放した状態で前記剥離機構から離隔し、前記蓋部材が開放した状態から閉塞した状態に変化する閉塞過程で前記剥離機構に接触可能な移動部材と、
前記本体に設けられた部材であって、前記剥離機構が前記第３状態から前記第２状態に切り替わることを規制する規制部材と
を備え、
前記第２状態における前記第１ローラと前記第２ローラとの間の距離は、前記第１状態における前記第１ローラと前記第２ローラとの間の距離よりも小さく、
前記第３状態における前記第１ローラと前記第２ローラとの間の距離は、前記第２状態における前記第１ローラと前記第２ローラとの間の距離よりも小さく、
前記第１状態は、前記第１ローラと前記第２ローラとが離隔し、且つ、前記閉塞過程で前記剥離機構が前記移動部材に接触可能な状態であり、
前記剥離機構は、前記第１ローラと前記第２ローラとが離隔し、且つ、前記閉塞過程で前記剥離機構が前記移動部材に接触不可能な第４状態に更に切り替え可能であり、
前記剥離機構を前記第４状態に固定する固定部材を更に備えたことを特徴とする印刷装置。
【発明の詳細な説明】
【技術分野】
【０００１】
本発明は、印刷されたラベルを台紙から剥離する剥離機構を備えた印刷装置に関する。
【背景技術】
【０００２】
印刷されたラベルが台紙に貼付された状態で排出される動作モードと、印刷されたラベルが台紙から剥離された状態で排出される動作モードとを切り替えることが可能な印刷装置が知られている。特許文献１は、通常発行状態と剥離発行状態とに切り替え可能なラベルプリンタを開示する。ラベルプリンタは、転向ローラとトーションバネとを有する剥離ユニットを備える。剥離ユニットは、通常発行状態でプラテンローラから転向ローラが離隔し、剥離発行状態でプラテンローラに転向ローラが接触するように移動可能である。剥離発行状態において、転向ローラはトーションバネの付勢力によってプラテンローラに押し付けられる。プラテンローラ及び転向ローラは、間に台紙を挟んだ状態で回転し、台紙のうちラベルが貼付されていない面が対向するように台紙を屈曲させる。これによって剥離ユニットは、印刷されたラベルを台紙から剥離させる。なお、印刷されたラベルを台紙から適切に剥離させるためには、転向ローラとプラテンローラとを適切に接触させることが好ましい。
【先行技術文献】
【特許文献】
【０００３】
【特許文献１】特開２００６−１５０８５８号公報
【発明の概要】
【発明が解決しようとする課題】
【０００４】
上記ラベルプリンタでは、転向ローラは、トーションバネの付勢力によってプラテンローラに押し付けられる。このため、転向ローラとプラテンローラとの接触が不十分になる場合がある。一方、転向ローラとプラテンローラとを適切に接触させるためにトーションバネの付勢力を強くした場合、ユーザは、動作モードを切り替える操作を容易に行うことができなくなる場合がある。その理由は、ユーザが動作モードを剥離発行状態から通常発行状態に切り替える場合、トーションバネの付勢力に逆らって転向ローラをプラテンローラから離隔させるために強い力が必要となるためである。このように、上記ラベルプリンタでは、印刷されたラベルを台紙から適切に剥離させることと、動作モードの切り替えとを両立させることが難しい。
【０００５】
本発明の目的は、ラベルが台紙から剥離された状態で排出される動作モードに容易に切り替えることが可能であり、且つ、ラベルを台紙から適切に剥離させることが可能な印刷装置を提供することである。
【課題を解決するための手段】
【０００６】
本発明の第１態様に係る印刷装置は、ラベルに印刷を行う印刷部と、前記ラベルが貼付された台紙が巻回されたロールを収容する収容部を有する本体と、支軸を有し、前記支軸を支点として回転可能に前記本体に支持され、前記収容部を開閉可能な蓋部材と、前記蓋部材に設けられた第１ローラと、軸部及び第２ローラを少なくとも備え、前記軸部を支点として揺動可能に前記本体に支持され、前記台紙から前記ラベルを剥離させることが可能な機構であって、前記第１ローラと前記第２ローラとの位置関係がそれぞれ異なる第１状態、第２状態、及び、第３状態の何れかに切り替え可能な剥離機構と、前記蓋部材に設けられ、前記蓋部材が開放した状態から閉塞した状態に変化することに応じて前記剥離機構を前記第１状態から前記第２状態に切り替えることが可能な部材であって、前記蓋部材が開放した状態で前記剥離機構から離隔し、前記蓋部材が開放した状態から閉塞した状態に変化する閉塞過程で前記剥離機構に接触可能な移動部材と、前記本体に設けられた部材であって、前記剥離機構が前記第３状態から前記第２状態に切り替わることを規制する規制部材とを備え、前記剥離機構は、前記蓋部材が閉塞した状態において移動することで、前記第２状態と前記第３状態とを切り替え可能であり、前記第２状態における前記第１ローラと前記第２ローラとの間の距離は、前記第１状態における前記第１ローラと前記第２ローラとの間の距離よりも小さく、前記第３状態における前記第１ローラと前記第２ローラとの間の距離は、前記第２状態における前記第１ローラと前記第２ローラとの間の距離よりも小さいことを特徴とする。
【０００７】
第１態様によれば、印刷装置は、蓋部材が閉塞する動作に応じて、剥離機構が第１状態から第２状態に切り替わる。このためユーザは、蓋部材を閉塞させる操作を行うと同時に、剥離機構を第３状態に移動させることが容易な状態（第２状態）に剥離機構を切り替えることができる。従ってユーザは、蓋部材を閉塞させる操作を行うことによって、印刷されたラベルが台紙から剥離されないで排出される動作モードから、印刷されたラベルが台紙から剥離されて排出される動作モードに印刷装置を切り替えることが容易な状態とすることができる。又、印刷装置では、剥離機構が第３状態から第２状態に切り替わることを、規制部材によって規制できる。従って、印刷装置は、剥離機構によってラベルを台紙から適切に剥離させることができる。
【０００８】
本発明において、前記剥離機構は、前記第２ローラの回転軸の延びる方向の両側から外側に突出する一対の突出部を有し、前記規制部材は、前記一対の突出部のそれぞれが係合する部位であって、前記剥離機構が前記第３状態から前記第２状態に切り替わることを、前記一対の突出部の移動を禁止することによって規制する一対の第１係合部を有してもよい。この場合、規制部材は、第２ローラの回転軸の延びる方向の両側で、剥離機構の移動を規制できる。従って、印刷装置は、規制部材を第３状態で適切に維持させることができるので、剥離機構によってラベルを台紙から適切に剥離させることができる。
【０００９】
本発明において、前記規制部材は、前記蓋部材が前記収容部を閉塞した状態で、前記蓋部材の回転を更に規制してもよい。この場合、印刷装置は、収容部が蓋部材によって閉塞された状態を、適切に維持できる。
【００１０】
本発明において、前記蓋部材は、前記第１ローラに対して、前記第１ローラの回転軸の延びる方向の両側に一対の第２係合部を有し、前記規制部材は、前記一対の第２係合部のそれぞれが係合する部位であって、前記蓋部材が前記収容部を閉塞した状態で前記蓋部材の回転を禁止する一対の第３係合部を有してもよい。この場合、規制部材は、第１ローラの回転軸の延びる方向の両側で、蓋部材の回転を規制できる。従って、印刷装置は、蓋部材によって収容部が閉塞された状態を適切に維持させることができる。
【００１１】
本発明において、前記第１状態は、前記第１ローラと前記第２ローラとが離隔し、且つ、前記閉塞過程で前記剥離機構が前記移動部材に接触可能な状態であり、前記剥離機構は、前記第１ローラと前記第２ローラとが離隔し、且つ、前記閉塞過程で前記剥離機構が前記移動部材に接触不可能な第４状態に更に切り替え可能であり、前記剥離機構を前記第４状態に固定する固定部材を更に備えてもよい。この場合、ユーザは、固定部材によって剥離機構を第４状態で維持させることによって、台紙が剥離されない状態でラベルが排出される動作モードで印刷装置を安定的に動作させることができる。
【００１２】
本発明において、前記剥離機構は、前記軸部を有する枠部と、前記枠部に対して移動可能に設けられ、前記第２ローラを支持する部材であって、前記軸部と前記第２ローラとの間の距離を、第１距離と、前記第１距離よりも小さい第２距離とに切り替え可能な支持部とを備え、前記軸部と前記第２ローラとの間の距離は、前記第１状態、前記第２状態、及び、前記第３状態の夫々の場合に前記第１距離であり、前記第４状態の場合に前記第２距離であり、記剥離機構は、前記軸部を支点として揺動することによって前記第１状態から前記第２状態に切り替わることを特徴としてもよい。この場合、ユーザは、剥離機構を、第１状態〜第３状態の何れかと、第４状態とに切り替えることによって、第１ローラと第２ローラとの距離を切り替えることができる。
本発明の第２態様に係る印刷装置は、ラベルに印刷を行う印刷部と、前記ラベルが貼付された台紙が巻回されたロールを収容する収容部を有する本体と、前記本体に回転可能に支持され、前記収容部を開閉可能な蓋部材と、前記蓋部材に設けられた第１ローラと、第２ローラを少なくとも備え、前記台紙から前記ラベルを剥離させることが可能な機構であって、前記第１ローラと前記第２ローラとの位置関係がそれぞれ異なる第１状態、第２状態、及び、第３状態の何れかに切り替え可能な剥離機構と、前記蓋部材に設けられ、前記蓋部材が開放した状態から閉塞した状態に変化することに応じて前記剥離機構を前記第１状態から前記第２状態に切り替えることが可能な部材であって、前記蓋部材が開放した状態で前記剥離機構から離隔し、前記蓋部材が開放した状態から閉塞した状態に変化する閉塞過程で前記剥離機構に接触可能な移動部材と、前記本体に設けられた部材であって、前記剥離機構が前記第３状態から前記第２状態に切り替わることを規制する規制部材とを備え、前記第２状態における前記第１ローラと前記第２ローラとの間の距離は、前記第１状態における前記第１ローラと前記第２ローラとの間の距離よりも小さく、前記第３状態における前記第１ローラと前記第２ローラとの間の距離は、前記第２状態における前記第１ローラと前記第２ローラとの間の距離よりも小さく、前記剥離機構は、前記第２ローラの回転軸の延びる方向の両側から外側に突出する一対の突出部を有し、前記規制部材は、前記一対の突出部のそれぞれが係合する部位であって、前記剥離機構が前記第３状態から前記第２状態に切り替わることを、前記一対の突出部の移動を禁止することによって規制する一対の第１係合部を有することを特徴とする。
本発明の第３態様に係る印刷装置は、ラベルに印刷を行う印刷部と、前記ラベルが貼付された台紙が巻回されたロールを収容する収容部を有する本体と、前記本体に回転可能に支持され、前記収容部を開閉可能な蓋部材と、前記蓋部材に設けられた第１ローラと、第２ローラを少なくとも備え、前記台紙から前記ラベルを剥離させることが可能な機構であって、前記第１ローラと前記第２ローラとの位置関係がそれぞれ異なる第１状態、第２状態、及び、第３状態の何れかに切り替え可能な剥離機構と、前記蓋部材に設けられ、前記蓋部材が開放した状態から閉塞した状態に変化することに応じて前記剥離機構を前記第１状態から前記第２状態に切り替えることが可能な部材であって、前記蓋部材が開放した状態で前記剥離機構から離隔し、前記蓋部材が開放した状態から閉塞した状態に変化する閉塞過程で前記剥離機構に接触可能な移動部材と、前記本体に設けられた部材であって、前記剥離機構が前記第３状態から前記第２状態に切り替わることを規制する規制部材とを備え、前記第２状態における前記第１ローラと前記第２ローラとの間の距離は、前記第１状態における前記第１ローラと前記第２ローラとの間の距離よりも小さく、前記第３状態における前記第１ローラと前記第２ローラとの間の距離は、前記第２状態における前記第１ローラと前記第２ローラとの間の距離よりも小さく、前記規制部材は、前記蓋部材が前記収容部を閉塞した状態で、前記蓋部材の回転を更に規制することを特徴とする。
本発明の第４態様に係る印刷装置は、ラベルに印刷を行う印刷部と、前記ラベルが貼付された台紙が巻回されたロールを収容する収容部を有する本体と、前記本体に回転可能に支持され、前記収容部を開閉可能な蓋部材と、前記蓋部材に設けられた第１ローラと、第２ローラを少なくとも備え、前記台紙から前記ラベルを剥離させることが可能な機構であって、前記第１ローラと前記第２ローラとの位置関係がそれぞれ異なる第１状態、第２状態、及び、第３状態の何れかに切り替え可能な剥離機構と、前記蓋部材に設けられ、前記蓋部材が開放した状態から閉塞した状態に変化することに応じて前記剥離機構を前記第１状態から前記第２状態に切り替えることが可能な部材であって、前記蓋部材が開放した状態で前記剥離機構から離隔し、前記蓋部材が開放した状態から閉塞した状態に変化する閉塞過程で前記剥離機構に接触可能な移動部材と、前記本体に設けられた部材であって、前記剥離機構が前記第３状態から前記第２状態に切り替わることを規制する規制部材とを備え、前記第２状態における前記第１ローラと前記第２ローラとの間の距離は、前記第１状態における前記第１ローラと前記第２ローラとの間の距離よりも小さく、前記第３状態における前記第１ローラと前記第２ローラとの間の距離は、前記第２状態における前記第１ローラと前記第２ローラとの間の距離よりも小さく、前記第１状態は、前記第１ローラと前記第２ローラとが離隔し、且つ、前記閉塞過程で前記剥離機構が前記移動部材に接触可能な状態であり、前記剥離機構は、前記第１ローラと前記第２ローラとが離隔し、且つ、前記閉塞過程で前記剥離機構が前記移動部材に接触不可能な第４状態に更に切り替え可能であり、前記剥離機構を前記第４状態に固定する固定部材を更に備えたことを特徴とする。
【図面の簡単な説明】
【００１３】
【図１】蓋部材３が閉塞した状態の印刷装置１の斜視図である。
【図２】蓋部材３が開放した状態の印刷装置１の斜視図である。
【図３】規制部材２５Ａの拡大斜視図である。
【図４】収容状態の剥離機構５を上側から見た斜視図である。
【図５】収容状態の剥離機構５を下側から見た斜視図である。
【図６】突出状態の剥離機構５を上側から見た斜視図である。
【図７】突出状態の剥離機構５を下側から見た斜視図である。
【図８】蓋部材３が開放した状態の印刷装置１の内部構成を示す斜視図である。
【図９】蓋部材３を開放した状態の印刷装置１の内部構成を示す斜視図である。
【図１０】図１のＩ−Ｉ線を矢印方向から見た断面図である。
【図１１】図２のＩＩ−ＩＩ線を矢印方向から見た断面図である。
【図１２】閉塞過程（剥離機構５：第４状態）における印刷装置１の斜視図である。
【図１３】蓋部材３が閉塞した状態（剥離機構５：第４状態）の印刷装置１の斜視図である。
【図１４】閉塞過程（剥離機構５：第１状態）における印刷装置１の斜視図である。
【図１５】閉塞過程（剥離機構５：第１状態）における印刷装置１の斜視図である。
【図１６】蓋部材３が閉塞した状態（剥離機構５：第２状態）の印刷装置１の斜視図である。
【図１７】蓋部材３が閉塞した状態（剥離機構５：第３状態）の印刷装置１の斜視図である。
【発明を実施するための形態】
【００１４】
以下、本発明の実施形態について、図面を参照して説明する。印刷装置１は、ＵＳＢ（登録商標）ケーブルを介して外部端末（図示外）に接続可能である。印刷装置１は、外部端末から受信した印刷データに基づいて、印刷媒体に文字や図形等を印刷できる。印刷媒体は感熱ラベルである。外部端末は汎用のパーソナルコンピュータ（ＰＣ）である。図１の右下側、左上側、右上側、左下側、上側、及び下側を、それぞれ、印刷装置１の右側、左側、後側、前側、上側、及び下側と定義する。
【００１５】
＜概要＞
図１、図２を参照し、印刷装置１の概要について説明する。印刷装置１は本体部２を備える。本体部２は、表示部２１、スイッチ２２、剥離機構５、ＵＳＢインタフェース（Ｉ／Ｆ）１３、レバー２３、収容部２４、バッテリー２８等を備える。表示部２１及びスイッチ２２は、前方上側の傾斜部２Ａに設けられる。剥離機構５は、本体部２のうち傾斜部２Ａの後側に設けられる。剥離機構５の詳細は後述する。ＵＳＢ  Ｉ／Ｆ１３及びレバー２３は、本体部２の右側面２Ｂに設けられる。ＵＳＢ  Ｉ／Ｆ１３は、ＵＳＢケーブルを接続する端子である。図１及び図２では、ＵＳＢ  Ｉ／Ｆ１３はゴム製の蓋で覆われている。レバー２３は、蓋部材３（後述）の状態を切り替えるための操作レバーである。バッテリー２８は、右側面２Ｂに形成された図示外の凹部に右側から挿入される。バッテリー２８は、印刷装置１の駆動電源である。
【００１６】
＜収容部２４＞
図２に示すように、収容部２４は、本体部２のうち剥離機構５の後側に設けられる。収容部２４は、感熱ラベルが貼付された台紙が巻回されたロール（図示略）を収容可能な空間を形成する。以下、台紙及び感熱ラベルを、テープという。収容部２４の左右両側及び上側は開口する。収容部２４内に用紙ホルダ９が固定される。用紙ホルダ９は、ロールを保持することが可能である。収容部２４の前側の壁部に、印刷部２６Ｂが設けられる。印刷部２６Ｂは、感熱ラベルに印刷を行うことが可能なラインサーマルヘッドである。印刷部２６Ｂの上側に切断部２６Ａが設けられる。切断部２６Ａは、テープのうち印刷部２６Ｂによって印刷された部分を切り離すための刃である。
【００１７】
収容部２４の前側の壁部に、規制部材２５Ａ、２５Ｂ（図８参照）が設けられる。規制部材２５Ａは、収容部２４の前側の壁部のうち、切断部２６Ａ及び印刷部２６Ｂよりも右側の部分に設けられる。規制部材２５Ｂは、収容部２４の前側の壁部のうち、切断部２６Ａ及び印刷部２６Ｂよりも左側の部分に設けられる。以下、規制部材２５Ａ、２５Ｂを総称して一対の規制部材２５ともいう。規制部材２５Ａ、２５Ｂの形状は左右対称である。以下、規制部材２５Ａについて詳細に説明し、規制部材２５Ｂの説明は省略する。
【００１８】
図３に示すように、規制部材２５Ａは、板状部材２５１、及び、覆部材２５２を有する。板状部材２５１の平面は左右方向を向く。板状部材２５１は金属製である。板状部材２５１は、基部２５１Ａ、係合延設部２５１Ｂ、及び、係合凹部２５１Ｃ、２５１Ｄを有する。基部２５１Ａは、収容部２４（図２参照）の前側の壁部から後方に延び、後端で上側に曲折して上方に延びる（図８参照）。係合凹部２５１Ｄは、基部２５１Ａの後方に延びる部分のうち上側に設けられる。係合凹部２５１Ｄは、下方に向けて凹む。係合延設部２５１Ｂは、基部２５１Ａの上方に延びる部分のうち前側の端部から、係合凹部２５１Ｄの上側を通って前方に延びる。係合延設部２５１Ｂの上端は、前方に向けて斜め下方向に傾斜する。係合凹部２５１Ｃは、基部２５１Ａの上方に延びる部分のうち後側の端部に設けられる。係合凹部２５１Ｃは前方に向けて凹む。
【００１９】
覆部材２５２は樹脂製である。覆部材２５２は、基部２５２Ａ、係合凹部２５２Ｂ、及び、係合突出部２５２Ｃを有する。基部２５２Ａは、板状部材２５１の基部２５１Ａの上方に延びる部分の右側に配置される。係合凹部２５２Ｂは、基部２５２Ａから左側に向けて延び、板状部材２５１の係合凹部２５１Ｃの内側に嵌る。係合突出部２５２Ｃは、係合凹部２５２Ｂの上側且つ後端から下方に突出する。
【００２０】
規制部材２５Ａは、基部２５１Ａの前後方向に延びる部分のうち前端部を中心として、揺動可能である。規制部材２５Ａは、レバー２３（図１参照）が下方に押し下げられた場合、基部２５１Ａの上端が後方斜め下側に移動する向きに揺動する。規制部材２５Ａは、図示しないバネによって、基部２５１Ａの上端が前方斜め上側に移動する向きに付勢される。
【００２１】
以下、規制部材２５Ｂのうち、規制部材２５Ａの板状部材２５１（基部２５１Ａ、係合延設部２５１Ｂ、係合凹部２５１Ｃ、２５１Ｄ）、及び、覆部材２５２（基部２５２Ａ、係合凹部２５２Ｂ、係合突出部２５２Ｃ）に対応する部材について、それぞれ、規制部材２５Ａと同じ符号を付して説明する。
【００２２】
＜蓋部材３＞
図１に示すように、蓋部材３は、板状の第１部材３Ａ、第２部材３Ｂ、一対の第３部材３Ｃ、及び、一対の移動部材３４を備える。第１部材３Ａは、収容部２４の後端に設けられた２つの支軸２９（図２参照）によって、一端側が揺動可能に支持される。第１部材３Ａは、２つの支軸２９によって支持された部分から湾曲して延びる。第２部材３Ｂは、第１部材３Ａの他端側から収容部２４側に向けて直線状に延びる。図２に示すように、一対の第３部材３Ｃは、第３部材３１Ｃ、３２Ｃを含む。第３部材３１Ｃは、第１部材３Ａ及び第２部材３Ｂの右端に設けられる。第３部材３２Ｃは、第１部材３Ａ及び第２部材３Ｂの左端に設けられる。第３部材３１Ｃ、３２Ｃの平面は、第１部材３Ａ及び第２部材３Ｂを挟んで対向する。
【００２３】
第１部材３Ａ及び第２部材３Ｂは、収容部２４の上側の開口を覆う位置に揺動可能である。一対の第３部材３Ｃは、本体部２の収容部２４の左右両側の開口を覆う位置に揺動可能である。２つの支軸２９のそれぞれに、バネ２９Ａが巻回されている。バネ２９Ａは、蓋部材３が収容部２４を覆った状態から、覆わない状態に向けて、蓋部材３に付勢力を付与する。以下、蓋部材３が収容部２４を覆った状態を、「蓋部材３が閉塞した状態」といい、蓋部材３が収容部２４を覆わない状態を、「蓋部材３が開放した状態」という。
【００２４】
一対の第３部材３Ｃは、第１ローラ３２を左右両側から支持する。第１ローラ３２は、第２部材３Ｂに対して第１部材３Ａ側と反対側に配置される。第１ローラ３２の回転軸は、左右方向に延びる。第３部材３１Ｃの左側、且つ、第１ローラ３２の右側に、係合部材３２１Ａが設けられる。第３部材３２Ｃの右側、且つ、第１ローラ３２の左側に、係合部材３２１Ｂが設けられる。以下、係合部材３２１Ａ、３２１Ｂを総称して、「一対の係合部材３２１」という。一対の係合部材３２１は円柱状である。第３部材３２Ｃの右側、且つ、係合部材３２１Ｂの左側に、ギア３６が設けられる。
【００２５】
第３部材３１Ｃのうち第１ローラ３２を支持する部分に、移動部材３４１が設けられる。第３部材３２Ｃのうち第１ローラ３２を支持する部分に、移動部材３４２が設けられる。移動部材３４１は、２つの支軸２９側と反対側に向けて延びる。移動部材３４１は、左側に水平に延びる板状部３４１Ａを有する。移動部材３４２は、右側に水平に延びる板状部３４２Ａを有する。以下、移動部材３４１、３４２を総称して、「一対の移動部材３４」という。板状部３４１Ａ、３４２Ａを総称して、「板状部３４Ａ」という。
【００２６】
蓋部材３が閉塞した状態で、一対の係合部材３２１は、一対の規制部材２５の板状部材２５１の係合凹部２５１Ｄ（図３参照）の上側、且つ、係合延設部２５１Ｂ（図３参照）の下側に係合する。この場合、一対の規制部材２５は、蓋部材３がバネ２９Ａの付勢力によって開放することを規制するので、蓋部材３は閉塞した状態で維持される。蓋部材３が閉塞した状態で、切断部２６Ａ及び印刷部２６Ｂと、第１ローラ３２とは近接する（図１参照）。図１に示すように、蓋部材３が閉塞した状態で、剥離機構５と第１ローラ３２との間に、テープが排出される排出口２６Ｃが形成される。蓋部材３が閉塞した状態で、ギア３６は、本体部２に設けられたギア７６（図９参照）に噛み合う。ギア７６は、本体部２内のモータ（図示略）に連結し、回転可能である。蓋部材３が閉塞した状態でギア７６が回転した場合、ギア３６及び第１ローラ３２は、ギア７６の回転に応じて回転する。蓋部材３が閉塞した状態でレバー２３が下方に押し下げられた場合、一対の係合部材３２１は、一対の規制部材２５の板状部材２５１の係合延設部２５１Ｂ及び係合凹部２５１Ｄから外れる。蓋部材３は、バネ２９Ａの付勢力によって、閉塞した状態から開放した状態に向けて揺動する。結果、蓋部材３は開放した状態になる。
【００２７】
＜剥離機構５＞
図４から図７を参照し、剥離機構５の詳細について説明する。剥離機構５は、枠部５２、及び、支持部５４を備える。枠部５２は、板状の第１部材５２１、第２部材５２２Ａ、５２２Ｂ、及び、第３部材５２５（図５参照）を有する。第１部材５２１の形状は、左右方向に延びる長方形である。第２部材５２２Ａは、第１部材５２１の右側から下側に延びる。第２部材５２２Ｂは、第１部材５２１の左側から下側に延びる。第２部材５２２Ａ、５２２Ｂの形状は左右対称である。以下、第２部材５２２Ａ、５２２Ｂを総称して、「一対の第２部材５２２」という。以下、第２部材５２２Ｂの形状について説明し、第２部材５２２Ａの形状の説明は省略する。
【００２８】
第２部材５２２Ｂの前端部に、左側に向けて突出する円柱状の軸部５２３が設けられる。第２部材５２２Ｂは、左右方向に貫通する長穴５２４を有する。長穴５２４は、第２部材５２２Ｂの前端近傍から後端近傍まで前後方向に延びる。剥離機構５は、一対の第２部材５２２のそれぞれの軸部５２３によって、本体部２（図２参照）に揺動可能に支持される。図５及び図７に示すように、第３部材５２５は、第１部材５２１の下側に設けられる。第３部材５２５は、下方に突出する一対の固定部５７を有する。
【００２９】
図６、図７に示すように、支持部５４は、第１部材５４１、第２部材５４２Ａ、５４２Ｂ、及び、第３部材５４３を備える。第１部材５４１は左右方向に延びる。第１部材５４１の左右方向の長さは、枠部５２の第１部材５２１の左右方向の長さよりも僅かに短い。第１部材５４１の下側には、左右方向に延び且つ下側が開口した空間が形成される。図５及び図７示すように、第１部材５４１の下側の空間に第２ローラ５１が設けられる。第２ローラ５１は円柱状であり、左右方向に延びる。
【００３０】
第２部材５４２Ａ、５４２Ｂは板状部材である。以下、第２部材５４２Ａ、５４２Ｂを総称して「一対の第２部材５４２」という。第２部材５４２Ａは、第１部材５４１の右端から前側に延びる。第２部材５４２Ｂは、第１部材５４１の左端から前側に延びる。一対の第２部材５４２のそれぞれの前後方向の長さは、枠部５２の一対の第２部材５２２の前後方向の長さと略同一である。第２ローラ５１の左右両端は、一対の第２部材５４２のそれぞれの後側の部分によって回転可能に支持される。第２部材５４２Ａの右側面の前端部に、右側に突出する突出部（図示略）が設けられる。第２部材５４２Ｂの左側面の前端部に、左側に突出する突出部（図示略）が設けられる。それぞれの突出部は、枠部５２の一対の第２部材５２２のそれぞれの長穴５２４に内側から挿通する。突出部は、長穴５２４に沿って前後方向に移動可能である。これによって支持部５４は、枠部５２の第１部材５２１及び一対の第２部材５２２で囲まれた空間内に配置された状態（図４、図５参照）と、空間の後側に配置された状態（図６、図７参照）とに移動可能である。第２部材５４２Ａの後端近傍に、右側に突出する突出部５３Ａが設けられる。第２部材５４２Ｂの後端近傍に、左側に突出する突出部５３Ｂが設けられる。以下、突出部５３Ａ、５３Ｂを総称して「一対の突出部５３」という。
【００３１】
第３部材５４３は、第２部材５４２Ａ、５４２Ｂの前後方向略中央よりも前側の部分の間に架設される。第１部材５４１、一対の第２部材５４２、及び第３部材５４３は、内側に開口を形成する。
【００３２】
以下、枠部５２の第１部材５２１及び一対の第２部材５２２で囲まれた空間内に、支持部５４が配置された状態（図４、図５で示される状態）を、収容状態という。図５に示すように、収容状態における、軸部５２３と第２ローラ５１との間の距離を、第２距離Ｌ２という。枠部５２の第１部材５２１及び一対の第２部材５２２で囲まれた空間よりも後側に、支持部５４が配置された状態（図６、図７で示される状態）を、突出状態という。図７に示すように、突出状態における、軸部５２３と第２ローラ５１との間の距離を、第１距離Ｌ１という。第１距離Ｌ１及び第２距離Ｌ２は、詳細には、軸部５２３の軸線及び第２ローラ５１の軸線の双方を通る２つの仮想線の間の距離を示す。第１距離Ｌ１は、第２距離Ｌ２よりも長くなる。
【００３３】
＜保持機構７＞
図８から図１１を参照し、保持機構７について説明する。保持機構７は、剥離機構５を移動可能に保持する。保持機構７は、軸支持部７１Ａ、７１Ｂ（以下、総称して「一対の軸支持部７１」という。）、及び、固定部材７３Ａ、７３Ｂ（以下、総称して「一対の固定部材７３」という。）等を備える。
【００３４】
図８に示すように、軸支持部７１Ａは、剥離機構５の右側に設けられる。軸支持部７１Ａは、前後方向に延びる溝７１１Ａを左側面に有する。軸支持部７１Ｂは、剥離機構５の左側に設けられる。軸支持部７１Ｂは、前後方向に延びる溝７１１Ｂを右側面に有する。以下、溝７１１Ａ、７１１Ｂを総称して、「溝７１１」という。剥離機構５の第２部材５２２Ａの軸部５２３は、軸支持部７１Ａの溝７１１Ａに挿通する。剥離機構５の第２部材５２２Ｂの軸部５２３は、軸支持部７１Ｂの溝７１１Ｂに挿通する。剥離機構５は、一対の軸支持部７１のそれぞれの溝７１１に沿って軸部５２３が移動することによって、前後方向に移動可能である。又、剥離機構５は、一対の軸支持部７１のそれぞれの溝７１１が軸部５２３を揺動可能に支持することによって、軸部５２３を中心として後端を上下方向に揺動させることが可能である。
【００３５】
図９に示すように、一対の固定部材７３は板状である。一対の固定部材７３は、剥離機構５の下側に設けられた台座７５に固定されている。固定部材７３Ａは、台座７５の左右中心に対して右側に設けられる。固定部材７３Ｂは、台座７５の左右中心に対して左側に設けられる。一対の固定部材７３は、後側に向けて水平に延び、後端から後斜め上方に延び、上端で屈曲し、後斜め下方に延びる。一対の固定部材７３は、下側に移動する向きに弾性変形可能である。
【００３６】
一対の軸支持部７１のそれぞれの溝７１１に沿って軸部５２３が移動することに応じて、剥離機構５が前方に移動した場合、一対の固定部材７３の上端部分は、枠部５２の一対の固定部５７（図５、図７参照）の後側に接触し、一対の固定部５７のそれぞれの後方への移動を規制する。これによって、剥離機構５の後方への移動は規制される。又、剥離機構５は、本体部２の傾斜部２Ａ（図１参照）の後端に、剥離機構５の前端が接触するまで移動した状態で保持される（図１参照）。この場合、剥離機構５の後端の揺動は、傾斜部２Ａによって抑制される。図１０に示すように、剥離機構５は、枠部５２の第１部材５２１が水平な状態で保持される。以下、収容状態の剥離機構５が前側に移動した図１０の状態を、「第４状態」という。
【００３７】
一方、一対の固定部材７３が下側に移動する向きに弾性変形することによって、剥離機構５は、前側に移動可能となる。一対の軸支持部７１のそれぞれの溝７１１に沿って剥離機構５が後方に移動した場合、本体部２の傾斜部２Ａ（図１参照）の後端と、剥離機構５の前端との間に空間が形成された状態となる。この場合、剥離機構５の後端は揺動可能な状態になる。例えば、ユーザは、図１１に示すように、剥離機構５の前端を中心として、後端を上方に揺動させることができる。更に、ユーザは、剥離機構５の後端を上方に揺動させた状態で、剥離機構５を収容状態から突出状態に切り替えることができる。
【００３８】
＜通常モードで印刷装置１を動作させる場合の手順＞
図１２、図１３を参照し、印刷装置１を通常モードで動作させる場合の手順について説明する。ユーザは、レバー２３を下方に押し下げ、蓋部材３を開放させる。ユーザは、用紙ホルダ９（図２参照）にロールを装着する。ユーザは、剥離機構５の支持部５４を枠部５２側に押し込み、剥離機構５を収容状態とする。次いでユーザは、剥離機構５の後端を下方に揺動させ、枠部５２の第１部材５２１を水平にした状態で、剥離機構５を前側に移動させる。剥離機構５の前端は、本体部２の傾斜部２Ａの後端に接触する。剥離機構５は、一対の固定部材７３（図９参照）が一対の固定部５７（図５、図７参照）に後方から接触することによって、第４状態で保持される。
【００３９】
ユーザは、ロールから延びるテープのうち先端部分の台紙を、切断部２６Ａ及び印刷部２６Ｂ（図２参照）の後方に配置させた状態で、蓋部材３を閉塞させる。図１２に示すように、蓋部材３の閉塞過程で、剥離機構５の支持部５４の一対の突出部５３（図４参照）は、蓋部材３の一対の移動部材３４１のそれぞれの板状部３４Ａに接触しない。蓋部材３の閉塞過程で、一対の係合部材３２１（図２参照）は、一対の規制部材２５（図３参照）のそれぞれの板状部材２５１の係合延設部２５１Ｂの上端に、上側から接触する。一対の規制部材２５は、図示しないバネの付勢力に逆らって、基部２５１Ａの上端部が後方に移動する向きに揺動する。一対の係合部材３２１が、係合凹部２５１Ｄ内まで移動した場合、一対の規制部材２５は、図示しないバネの付勢力によって、基部２５１Ａの上端部が前方に移動する向きに揺動する。一対の規制部材２５のそれぞれの係合延設部２５１Ｂは、一対の係合部材３２１の上側に配置される。これによって、一対の係合部材３２１は、一対の規制部材２５の係合延設部２５１Ｂ及び係合凹部２５１Ｄに係合する。一対の規制部材２５は、バネ２９Ａ（図２参照）の付勢力によって蓋部材３が開放した状態に戻ろうとすることを規制するので、図１３に示すように、蓋部材３は閉塞した状態で保持される。
【００４０】
以下、剥離機構５を第４状態として蓋部材３を閉塞させた場合における、軸部５２３と第１ローラ３２との間の距離を、第３距離Ｌ３という。詳細には、第３距離Ｌ３は、軸部５２３の軸線を通る仮想線と、第１ローラ３２の軸線を通る仮想線との間の距離を示す。第３距離Ｌ３は、収容状態における軸部５２３と第２ローラ５１との間の距離（第２距離Ｌ２）よりも大きい。このため、第１ローラ３２と第２ローラ５１とは、前後方向に離隔する。
【００４１】
ユーザはスイッチ２２を押下する。印刷部２６Ｂによる印刷が開始される。駆動部がギア７６、３６（図９参照）を回転させることに応じて、第１ローラ３２は回転する。ロールからテープが順次繰り出され、下方から上方に向けて搬送される。同時に、印刷部２６Ｂの発熱素子が発熱する。これによって、感熱ラベルに文字や図形が印刷される。第１ローラ３２は、印刷された感熱ラベルを含むテープを排出口２６Ｃから排出する。なお、上記のように、第２ローラ５１は第１ローラ３２から離隔するので、排出されたテープに第２ローラ５１は接触しない。このため、テープは延伸した状態で上方に排出される。従って、印刷された感熱ラベルは台紙に貼付された状態で排出される。排出されたテープは、切断部２６Ａによって切断される。
【００４２】
＜剥離モードで印刷装置１を動作させる場合の手順＞
図１４〜図１７を参照し、印刷装置１を剥離モードで動作させる場合の手順について説明する。用紙ホルダ９にロールが装着されるまでの手順は、通常モードの場合と同一であるので、説明を省略する。
【００４３】
ユーザは、蓋部材３が開放した状態で、剥離機構５を、第４状態から後方に移動させる。一対の固定部材７３（図９参照）は弾性変形し、一対の固定部５７（図５、図７参照）の前側に移動する。本体部２の傾斜部２Ａ（図１参照）の後端と、剥離機構５の前端との間に空間が形成される。剥離機構５の後端は揺動可能な状態になる。ユーザは、剥離機構５を、軸部５２３を中心として回転させ、剥離機構５の後端を上方に揺動させる。更に、ユーザは、剥離機構５の支持部５４を枠部５２から引き出す。剥離機構５は、収容状態から突出状態に切り替わる（図１１参照）。以下、蓋部材３が開放した状態、且つ、突出状態の剥離機構５が後端を上方に揺動させた状態（図２、図１１参照）を、「第１状態」という。図２に示すように、第１状態において、蓋部材３の第１ローラ３２と、剥離機構５の第２ローラ５１とは離隔する。
【００４４】
ユーザは、切断部２６Ａ及び印刷部２６Ｂ（図２参照）の後方、且つ、剥離機構５の支持部５４に支持された第２ローラ５１の下側に、ロールから延びるテープのうち先端部分の台紙を配置させる。ユーザは、この状態で蓋部材３を閉塞させる操作を行う。図１４、図１５に示すように、蓋部材３が閉塞する閉塞過程で、蓋部材３の移動部材３４１の板状部３４１Ａの下側に、剥離機構５の突出部５３Ａ（図４〜図７参照）が接触し、移動部材３４２の板状部３４２Ａの下側に、剥離機構５の突出部５３Ｂ（図４〜図７参照）が接触する。蓋部材３が徐々に閉塞するに従って、一対の突出部５３は、一対の移動部材３４のそれぞれの板状部３４Ａの下側に沿って、後方斜め下側に移動する。剥離機構５は、軸部５２３を中心として後端を下方に揺動させる。剥離機構５の第２ローラ５１は下方に移動し、蓋部材３の第１ローラ３２に上側から徐々に近接する。
【００４５】
図１６に示すように、蓋部材３が閉塞した場合、一対の規制部材２５に一対の係合部材３２１が係合し、蓋部材３は閉塞した状態で保持される。剥離機構５は、枠部５２の第１部材５２１が水平方向に対して僅かに傾斜した状態で保持される。剥離機構５の第２ローラ５１は、蓋部材３の第１ローラ３２の後方斜め上側に配置する。第１ローラ３２と第２ローラ５１とは近接する。但し、この状態で、第１ローラ３２と第２ローラ５１との間には僅かな隙間が形成される。以下、蓋部材３が、開放した状態から閉塞過程を経て閉塞することに応じて、突出状態の剥離機構５が第１状態から揺動し、第１ローラ３２と第２ローラ５１とが近接する状態となった場合の図１６の状態を、「第２状態」という。第２状態における第１ローラ３２と第２ローラ５１との間の距離は、第１状態における第１ローラ３２と第２ローラ５１との間の距離（図１１参照）よりも小さくなる。
【００４６】
次に、ユーザは、第２状態の剥離機構５の支持部５４を下側に押し下げる。図１７に示すように、剥離機構５は、第２状態（図１６参照）に対して更に揺動する。剥離機構５の一対の突出部５３（図４〜図７参照）は、一対の規制部材２５（図８〜図１１参照）のそれぞれの係合凹部２５１Ｃ、２５２Ｂ（図８〜図１１参照）の後側まで移動する。次に、ユーザは、剥離機構５を前側に移動させる。剥離機構５の一対の突出部５３は、一対の規制部材２５のそれぞれの係合凹部２５１Ｃ、２５２Ｂの内側に後側から進入する。このとき、蓋部材３の第１ローラ３２の上方斜め後側に、剥離機構５の第２ローラ５１が、台紙を挟んで対向する。第１ローラ３２及び第２ローラ５１は、台紙を挟持する。一対の規制部材２５の係合突出部２５２Ｃは、剥離機構５の一対の突出部５３が係合凹部２５１Ｃ、２５２Ｂ内に進入した状態で、一対の突出部５３の後側への移動を規制する。一対の突出部５３は、係合凹部２５１Ｃ、２５２Ｂに係合し、第１ローラ３２及び第２ローラ５１が台紙を挟持した状態は保持される。以下、突出状態の剥離機構５の一対の突出部５３が、一対の規制部材２５のそれぞれの係合凹部２５１Ｃ、２５２Ｂに係合した図１７の状態を、「第３状態」という。第３状態における第１ローラ３２と第２ローラ５１との間の距離は、第２状態における第１ローラ３２と第２ローラ５１との間の距離（図１６参照）よりも小さくなる。
【００４７】
以下、第３状態における、軸部５２３と第１ローラ３２との間の距離を、第４距離Ｌ４という。詳細には、第４距離Ｌ４は、軸部５２３の軸線を通る仮想線と、第１ローラ３２の軸線を通る仮想線との間の距離を示す。第４距離Ｌ４は、剥離機構５を第４状態として蓋部材３を閉塞させた場合における軸部５２３と第１ローラ３２との間の第３距離Ｌ３（図１３参照）と比べて、剥離機構５が第４状態から後方に移動した分短くなる。第４距離Ｌ４は、突出状態における軸部５２３と第２ローラ５１との間の距離（第１距離Ｌ１）と略同一となる。このため、第３状態において、第１ローラ３２と第２ローラ５１とは、台紙を挟持可能となる。
【００４８】
ユーザはスイッチ２２を押下する。印刷部２６Ｂによる印刷が開始される。駆動部がギア７６、３６（図８、図９参照）を回転させることに応じて、第１ローラ３２は回転し、印刷された感熱ラベルを含むテープを排出口２６Ｃから排出する。なお、第２ローラ５１は第１ローラ３２との間に台紙を挟み、台紙を後方に屈曲させて後方に排出させる。これによって、台紙に貼付された状態で印刷された感熱ラベルは、台紙から剥離され、排出口２６Ｃから上側に排出される。
【００４９】
＜本実施形態の主たる作用、効果＞
以上説明したように、印刷装置１は、蓋部材３が閉塞する閉塞過程で、剥離機構５を第１状態（図１４、図１５参照）から第２状態（図１６参照）に切り替えることができる。このためユーザは、蓋部材３の閉塞操作に応じて、剥離機構５を、第３状態（図１７参照）に容易に移動させることが可能な第２状態とすることができる。従ってユーザは、蓋部材３を閉塞させる操作を行うことによって、印刷装置１を剥離モードに容易に切り替えることが可能となる。又、印刷装置１では、剥離機構５が第３状態から第２状態に切り替わることを、一対の規制部材２５によって規制できる。従って、印刷装置１は、剥離モードで安定的に動作可能となる。
【００５０】
剥離機構５は、左右方向の両側から外側に突出する一対の突出部５３を有する。一対の規制部材２５は、それぞれ、一対の突出部５３のそれぞれが係合する係合凹部２５１Ｃ、２５２Ｂ、及び、係合突出部２５２Ｃを有する。係合突出部２５２Ｃは、剥離機構５が第３状態から第２状態に切り替わることを、一対の突出部５３の移動を禁止することによって規制する。この場合、一対の規制部材２５は、左右方向の両側で剥離機構５の移動を規制できる。従って、印刷装置１は、剥離機構５を第３状態で適切に維持させることができるので、剥離機構５によってラベルを台紙から適切に剥離させることができる。
【００５１】
又、係合凹部２５２Ｃは樹脂製である。このため、一対の突出部５３のそれぞれが係合凹部２５２Ｃに係合することに応じて互いに接触したときに、一対の突出部５３が係合凹部２５２Ｃによって削れることを抑制できる。
【００５２】
一対の規制部材２５のそれぞれは、係合延設部２５１Ｂ、及び、係合凹部２５１Ｄを有する。蓋部材３が閉塞した状態で、蓋部材３の一対の係合部材３２１は、係合凹部２５１Ｄ内、且つ、係合延設部２５１Ｂの下側に係合する。これによって、蓋部材３の回転は規制される。このように、印刷装置１は、収容部２４が蓋部材３によって閉塞された状態を、一対の規制部材２５によって適切に維持できる。又、一対の規制部材２５は、第１ローラ３２の左右両側で、蓋部材３が閉塞した状態から開放した状態に回転することを規制できる。このため、印刷装置１は、閉塞した状態の蓋部材３ががたつくことを防止できる。この場合、第１ローラ３２は、印刷部２６Ｂにテープを適切に押し付けることができるので、印刷部２６Ｂによる印刷を安定的に実行させることができる。
【００５３】
更に、一対の規制部材２５は、剥離機構５が第３状態から第２状態に切り替わることを規制できると同時に、蓋部材３が閉塞した状態から開放した状態に回転することを規制する。このため、それぞれの機能が別部材によって実現される場合と比べて、部品点数を削減できる。更に、それぞれの機能が別部材によって実現される場合と比べて、第１ローラ３２と第２ローラ５１との間の距離を一定に保つことが容易に可能となる。
【００５４】
印刷装置１において、第４状態（図１２、図１３参照）における剥離機構５の後方への移動は、一対の固定部材７３が枠部５２の一対の固定部５７に後側から接触することに応じて規制される。なお、印刷装置１は、剥離機構５が第４状態の場合、第１ローラ３２と第２ローラ５１とが離隔し、通常モードで動作する。このため、印刷装置１は、一対の固定部材７３によって剥離機構５を第４状態で安定的に維持させることができるので、通常モードで安定的に動作できる。
【００５５】
＜変形例＞
本発明は、上記実施形態に限定されず、種々の変更が可能である。上記において、一対の規制部材２５は、係合凹部２５１Ｃ、２５２Ｂ、及び、係合突出部２５２Ｃを有していた。係合突出部２５２Ｃは、剥離機構５が第３状態となった場合に、剥離機構５の一対の突出部５３の後側への移動を規制することによって、剥離機構５が第２状態に切り替わることを規制した。これに対し、一対の規制部材２５は、係合凹部２５１Ｃ、２５２Ｂ、及び、係合突出部２５２Ｃを有していなくてもよい。例えば、一対の軸支持部７１のそれぞれの溝７１１に、剥離機構５が第３状態に配置された状態で、軸部５２３の移動を規制する規制部が設けられてもよい。この規制部は、軸部５２３の移動を規制することによって、剥離機構５が第３状態から第２状態に切り替わることを規制してもよい。
【００５６】
一対の規制部材２５とは別の機構に、係合凹部２５１Ｃ、２５２Ｂ、及び、係合突出部２５２Ｃに対応する部位が設けられてもよい。そして、別の機構が剥離機構５の一対の突出部５３と係合することによって、剥離機構５が第３状態から第２状態に切り替わることが規制されてもよい。つまり、蓋部材３を閉塞した状態で保持する部材と、剥離機構５を第３状態で保持する部材とは、別部材であってもよい。
【００５７】
上記において、一対の規制部材２５のそれぞれの係合延設部２５１Ｂは、蓋部材３の一対の係合部材３２１の移動を規制することによって、蓋部材３がバネ２９Ａの付勢力によって閉塞状態から開放状態に向けて回転することを規制した。これに対し、例えば、蓋部材３にバネ２９Ａは設けられていなくてもよい。この場合、蓋部材３が閉塞状態から開放状態に向けて回転することを規制する部材は設けられていなくてもよい。
【００５８】
上記において、一対の固定部材７３は、剥離機構５が第４状態から後方に移動することを規制することによって、剥離機構５が第４状態から第３状態に切り替わることを規制した。これに対し、一対の固定部材７３とは別の機構によって、剥離機構５が第４状態から第３状態に切り替わることを規制してもよい。例えば、一対の軸支持部７１のそれぞれの溝７１１に、剥離機構５が第４状態に配置された状態で、軸部５２３の移動を規制する規制部が設けられてもよい。この規制部は、軸部５２３の移動を規制することによって、剥離機構５が第４状態から第３状態に切り替わることを規制してもよい。
【００５９】
上記において、第３状態における軸部５２３と第１ローラ３２との間の距離（第４距離Ｌ４）は、突出状態における軸部５２３と第２ローラ５１との間の距離（第１距離Ｌ１）と略同一となった。ここで、略同一とは、第１距離Ｌ１と第４距離Ｌ４との差異が、第１ローラ３２と第２ローラ５１のそれぞれの半径を加算した距離以内である状態を示す。つまり、第１距離Ｌ１と第４距離Ｌ４とは、第１ローラ３２と第２ローラ５１とのそれぞれの半径を加算した長さ分異なっていてもよい。なお、上記の略同一の条件を満たす場合、第３状態において、第１ローラ３２と第２ローラ５１とは、台紙を挟持可能になる。
【００６０】
＜その他＞
一対の規制部材２５は本発明の「規制部材」の一例である。規制部材２５Ａ、２５Ｂのそれぞれの係合凹部２５１Ｃ、２５２Ｂ及び係合突出部２５２Ｃは、本発明の「一対の第１係合部」の一例である。一対の係合部材３２１は本発明の「一対の第２係合部」の一例である。一対の規制部材２５のそれぞれの係合延設部２５１Ｂ及び係合凹部２５１Ｄは本発明の「一対の第３係合部」の一例である。
【符号の説明】
【００６１】
１        ：印刷装置
２        ：本体部
３        ：蓋部材
５        ：剥離機構
２４      ：収容部
２５、２５Ａ、２５Ｂ    ：規制部材
２６Ｂ    ：印刷部
３２      ：第１ローラ
３４、３４１、３４２    ：移動部材
３４Ａ、３４１Ａ、３４２Ａ  ：板状部
５１      ：第２ローラ
５３、５３Ａ、５３Ｂ    ：突出部
７３、７３Ａ、７３Ｂ    ：固定部材
２５１Ｂ  ：係合延設部
２５１Ｃ、２５１Ｄ、２５２Ｂ  ：係合凹部
２５２Ｃ  ：係合突出部
３２１、３２１Ａ、３２１Ｂ  ：係合部材
５２３    ：軸部
【図１】
0006323372.tif 000002
【図２】
0006323372.tif 000003
【図３】
0006323372.tif 000004
【図４】
0006323372.tif 000005
【図５】
0006323372.tif 000006
【図６】
0006323372.tif 000007
【図７】
0006323372.tif 000008
【図８】
0006323372.tif 000009
【図９】
0006323372.tif 000010
【図１０】
0006323372.tif 000011
【図１１】
0006323372.tif 000012
【図１２】
0006323372.tif 000013
【図１３】
0006323372.tif 000014
【図１４】
0006323372.tif 000015
【図１５】
0006323372.tif 000016
【図１６】
0006323372.tif 000017
【図１７】
0006323372.tif 000018